(57)【要約】【課題】ガラス板から切断したガラスを周辺ガラスから取り出す際に、周辺ガラスを分割するための補助切断線の設定方法を提供する。【解決手段】本発明の一形態における補助切断線の設定方法は、ガラス板１の切断線Ｃ１上で、任意の２点からの法線ベクトル相互が成す角度が１８０°以上となる２点を含まないように、第１の点Ｐ１と第２の点Ｐ２とを設定し、第１の点Ｐ１からの法線ベクトルＮ１と、第２の点Ｐ２からの法線ベクトルＮ２と、の間の角度領域θ内で第１のガラス２を囲む第２のガラス３の分割片の排除方向を設定し、排除方向と平行とならない補助切断線Ｃ２を設定する。【選択図】図１
2013049585.tif 000002
【特許請求の範囲】
【請求項１】
ガラス板を切断線に沿って切断して第２のガラスから第１のガラスを取り出す際に、前記第１のガラスを囲む前記第２のガラスを分割するための補助切断線の設定方法であって、
前記切断線上で、任意の２点から前記第２のガラス側に延びる法線ベクトル相互が成す角度が１８０°以上となる前記２点を含まないように、第１の点と第２の点とを設定し、
前記切断線上における前記第１の点から前記第２のガラス側に延びる法線ベクトルと、前記第２の点から前記第２のガラス側に延びる法線ベクトルと、の間の角度領域内であって、且つ前記切断線上の前記第１の点と前記第２の点との間における任意の点での接線と平行とならない、前記第２のガラスの分割片の排除方向を設定し、
前記排除方向と平行とならない補助切断線を前記第１及び第２の点から設定する補助切断線の設定方法。
【請求項２】
前記切断線上で、前記２点を含まない最長長さ位置の両端に前記第１及び第２の点が設定される請求項１に記載の補助切断線の設定方法。
【請求項３】
前記切断線は矩形形状であって、
前記第１及び第２の点は、前記切断線の向かい合う角部に設定される請求項１又は２に記載の補助線の設定方法。
【請求項４】
ガラス板を切断線に沿って切断して第２のガラスから第１のガラスを取り出す方法であって、
請求項１〜３のいずれか一項の補助切断線の設定方法によって第２のガラスに補助切断線を設定し、
前記補助切断線に沿って前記第２のガラスを切断し、
切断した前記第２のガラスの分割片を、前記補助切断線を設定する工程において設定した排除方向に排除するガラスの取出方法。
【発明の詳細な説明】
【技術分野】
【０００１】
本発明は補助切断線の設定方法及びガラスの取出方法に関する。
【背景技術】
【０００２】
近年、レーザ光を用いてガラスを切断する技術が実施されている。このような技術を用いて、ガラス板から一筆書きにより例えば製品形状の第１のガラスを切り出した場合、第１のガラスを囲む第２のガラスから当該第１のガラスを取り出す必要がある。
【０００３】
このとき、第１のガラスの端面が第２のガラスに接触しないように、第１のガラスを第２のガラスから取り出す必要がある。例えば特許文献１の技術は、第２のガラスを補助切断線で複数に分割し、この分割片を第１のガラスの周辺から排除することで、第１のガラスを第２のガラスから取り出している。
【先行技術文献】
【特許文献】
【０００４】
【特許文献１】国際公開第２０１０／１２６９７７号
【発明の概要】
【発明が解決しようとする課題】
【０００５】
特許文献１の技術は、第１のガラスの端面を第２のガラスに接触させることなく、第１のガラスを第２のガラスから取り出すことができるが、第２のガラスを分割するための補助切断線を良好に設定する技術は開示されていない。
【０００６】
本発明の目的は、このような問題を解決するためになされたものであり、ガラス板から切断したガラスを周辺ガラスから取り出す際に、当該周辺ガラスを分割するための補助切断線の設定方法及びガラスの取出方法を提供することである。
【課題を解決するための手段】
【０００７】
本発明の第１の形態に係る補助切断線の設定方法は、ガラス板を切断線に沿って切断して第２のガラスから第１のガラスを取り出す際に、前記第１のガラスを囲む前記第２のガラスを分割するための補助切断線の設定方法であって、前記切断線上で、任意の２点から前記第２のガラス側に延びる法線ベクトル相互が成す角度が１８０°以上となる前記２点を含まないように、第１の点と第２の点とを設定し、前記切断線上における前記第１の点から前記第２のガラス側に延びる法線ベクトルと、前記第２の点から前記第２のガラス側に延びる法線ベクトルと、の間の角度領域内であって、且つ前記切断線上の前記第１の点と前記第２の点との間における任意の点での接線と平行とならない、前記第２のガラスの分割片の排除方向を設定し、前記排除方向と平行とならない補助切断線を前記第１及び第２の点から設定する。
【０００８】
本発明の第２の形態に係る補助切断線の設定方法は、前記切断線上で、前記２点を含まない最長長さ位置の両端に前記第１及び第２の点が設定される。
【０００９】
本発明の第３の形態に係る補助切断線の設定方法は、前記切断線は矩形形状であって、前記第１及び第２の点は、前記切断線の向かい合う角部に設定される。
【００１０】
本発明の第１の形態に係るガラスの取出方法は、ガラス板を切断線に沿って切断して第２のガラスから第１のガラスを取り出す方法であって、上記補助切断線の設定方法によって第２のガラスに補助切断線を設定し、前記補助切断線に沿って前記第２のガラスを切断し、切断した前記第２のガラスの分割片を、前記補助切断線を設定する工程において設定した排除方向に排除する。
【発明の効果】
【００１１】
本発明によれば、ガラス板から切断したガラスを周辺ガラスから取り出す際に、当該周辺ガラスを分割するための補助切断線の設定方法及びガラスの取出方法を提供することができる。
【図面の簡単な説明】
【００１２】
【図１】本発明の実施の形態に係るガラスの取出方法で実施される、補助切断線の設定方法を説明するための概略図である。
【図２】本発明の実施の形態に係るガラスの取出方法における、分断片の排除工程を説明するための概略図である。
【図３】本発明の実施の形態に係る異なるガラスの取出方法を説明するための概略図である。
【図４】本発明の実施の形態に係る異なるガラスの取出方法を説明するための概略図である。
【発明を実施するための形態】
【００１３】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。なお、補助切断線の設定方法は、ガラスの取出方法内で実施される工程であるため、ガラスの取出方法の説明内で併せて説明する。
【００１４】
以下に説明する実施の形態の補助切断線の設定方法及びガラスの取出方法は、ガラス板から切断線に沿って切断（フルカット）された第１のガラスを第２のガラスから取り出す際に好適に実施される。
【００１５】
先ず、図１に示すように、例えばレーザ光を用いてガラス板１を切断線Ｃ１に沿って一筆書きで切断して第１のガラス２を切り出す。本実施の形態の切断線Ｃ１は長方形状に形成した。つまり、切断線Ｃ１の第１の辺Ｃ１ａ及び当該第１の辺Ｃ１ａと向かい合う第３の辺Ｃ１ｃは０°（１８０°）方向に配置され、第２の辺Ｃ１ｂ及び当該第２の辺Ｃ１ｂと向かい合う第４の辺Ｃ１ｄは９０°（２７０°）方向に配置される。
【００１６】
次に、第１のガラス２を囲む第２のガラス３から当該第１のガラス２を取り出すために、第１の点Ｐ１と第２の点Ｐ２とを設定する。ここで、切断線Ｃ１の第１の点Ｐ１から第２のガラス３側に延びる法線ベクトルＮ１と、第２の点Ｐ２から第２のガラス３側に延びる法線ベクトルＮ２と、が成す角度が１８０°未満と成る最長長さ部分の両端に、第１の点Ｐ１、第２の点Ｐ２をそれぞれ設定する。
【００１７】
本実施の形態では、切断線Ｃ１は長方形状であるので、切断線Ｃ１の向かい合う角部Ｋ１、Ｋ２の位置近傍にそれぞれ第１の点Ｐ１、第２の点Ｐ２が設定される。つまり、第１の点Ｐ１と第２の点Ｐ２との間に切断線Ｃ１の第１の辺Ｃ１ａと第２の辺Ｃ１ｂとを略含むように第１の点Ｐ１と第２の点Ｐ２とが設定される。
【００１８】
ちなみに、第１の点から延びる法線ベクトルと第２の点から延びる法線ベクトルとが成す角度が１８０°以上となる場合（例えば、切断線Ｃ１における第２の辺Ｃ１ｂ上に第１の点が設定され、切断線Ｃ１における第４の辺Ｃ１ｄ上に第２の点が設定され、第１の点と第２の点との間に第２の辺Ｃ１ｂと、第１の辺Ｃ１ａ又は第３の辺Ｃ１ｃと、第４の辺Ｃ１ｄとを含む場合など）は、後述するように第１のガラス２を第２のガラス３から取り出す際に、第１のガラス２の端面が第２のガラス３に接触し、第１のガラス２を良好に第２のガラス３から取り出すことができないので、本実施の形態では、法線ベクトルＮ１とＮ２とが成す角度が１８０°未満と成るように、第１の点Ｐ１及び第２の点Ｐ２を設定している。
【００１９】
次に、後述する補助切断線Ｃ２で切断後の第２のガラス３の第１の分割片３ａの排除方向を設定する。ここで、排除方向は、法線ベクトルＮ１とＮ２との角度領域θ（但し、本実施の形態では第２の点Ｐ２から第１の点Ｐ１に向かって時計回りの角度θ）内であって、且つ切断線Ｃ１上において第１の点Ｐ１と第２の点Ｐ２との間の部分の任意の位置での接線と平行に成らない方向とされる。ちなみに、当該排除方向を一点鎖線の矢印で示している。
【００２０】
本実施の形態では、第２のガラス３の第１の分割片３ａの排除方向を、当該角度領域θ（０°〜９０°）内であって、且つ切断線Ｃ１の対角線Ｌ１と略平行な方向、即ち約４５°に設定している。
【００２１】
次に、第２のガラス３の補助切断線Ｃ２を設定する。つまり、第１の点Ｐ１及び第２の点Ｐ２から、第２のガラス３の第１の分割片３ａの排除方向と平行とならない補助切断線Ｃ２を設定する。本実施の形態では、第１の点Ｐ１から約１３５°方向に補助切断線Ｃ２を設定した。また、第２の点Ｐ２から約３１５°方向に補助切断線Ｃ２を設定した。
【００２２】
ここで、第２のガラス３の第１の分割片３ａの排除方向と平行に補助切断線Ｃ２を設定してしまうと、第１の分割片３ａを排除する際に当該第１の分割片３ａの端面が隣接する分割片（本実施の形態では第２の分割片３ｂ）に接触し、ガラス粉等が飛散する可能性がある。そのため、補助切断線Ｃ２を第２のガラス３の第１のガラス３ａの排除方向と平行とならないように設定する。
【００２３】
次に、図２に示すように、分割された第１の分割片３ａを排除方向に排除する。ここで、切断線Ｃ１は長方形状であり、第１のガラス２の中心点を中心とする点対称の形状であるので、残りの第２の分割片３ｂを排除する場合は、１８０°〜２７０°の角度領域内であって、且つ切断線Ｃ１の対角線Ｌ１と略平行な方向、即ち約２２５°方向に第２の分割片３ｂを排除すると、第１の分割片３ａ及び第２の分割片３ｂ共に、隣接するガラスの端面と接触することなく、第１のガラス２を第２のガラス３から取り出すことができる。
【００２４】
このような補助切断線の設定方法及びガラスの取出方法は、第１のガラス２の端面を第２のガラス３に接触させることなく、第１のガラス２を第２のガラス３から取り出すことができるように、第２のガラス３を分割するための補助切断線を良好に設定することができる。そのため、品質に優れたガラスの取出作業を実現することができる。特に、第１のガラス２の端面が第２のガラス３に接触することが無いので、第１のガラス２の外周縁部の強度が低下することが無い。
【００２５】
また、本実施の形態の補助切断線Ｃ２は、切断線Ｃ１上において、法線ベクトルＮ１とＮ２とが成す角度が１８０°未満と成る最長長さ部分の両端に設定されている。そのため、少ない補助切断線Ｃ２で第１のガラス２を第２のガラス３から取り出すことができるように、第２のガラス３を分割することができる。
【００２６】
なお、本発明は上記実施の形態に限られたものではなく、趣旨を逸脱しない範囲で適宜変更することが可能である。
例えば、上記実施の形態では、第１及び第２の点Ｐ１、Ｐ２を法線ベクトルＮ１とＮ２とが成す角度が１８０°未満と成る最長長さ部分の両端に設定しているが、この限りでない。すなわち、予め切断線Ｃ１の第２の辺Ｃ１ｂ及び第４の辺Ｃ１ｄの辺上の任意の位置に補助切断線Ｃ２が設定されている場合は、図３及び４に示すように、第１の点Ｐ１及び第２の点Ｐ２、並びに第２のガラス３の分割片３ａの排除方向を設定しても良い。
【００２７】
例えば、上記実施の形態では、第１のガラス２を長方形状に切断しているが、この限りでない。第１のガラス２の切断形状は特に限定されない。ちなみに、本発明で云う「略矩形形状」では、角部が９０°の矩形形状に限らず、角部がＲ形状とされた矩形形状も含まれるものとする。
【符号の説明】
【００２８】
１  ガラス板
２  第１のガラス
３  第２のガラス
３ａ  第１の分割片
３ｂ  第２の分割片
Ｃ１  切断線
Ｃ１ａ  切断線の第１の辺
Ｃ１ｂ  切断線の第２の辺
Ｃ１ｃ  切断線の第３の辺
Ｃ１ｄ  切断線の第４の辺
Ｃ２  補助切断線
Ｋ１  切断線の角部
Ｋ２  切断線の角部
Ｌ１  切断線の対角線
Ｎ１  法線ベクトル
Ｎ２  法線ベクトル
Ｐ１  第１の点
Ｐ２  第２の点
【図１】
2013049585.tif 000003
【図２】
2013049585.tif 000004
【図３】
2013049585.tif 000005
【図４】
2013049585.tif 000006